(57)【要約】  描画された可視画像から受ける視覚的イメージを、その描画の元となった元画像と比較して視覚的に最も描画者の期待と合致するような描画を行わせることが可能な描画制御装置を提供する。  光ディスクＤＫの外部から視認可能な可視画像の、光ディスクＤＫに対する光学的な描画を制御する描画システムＳにおいて、描画による光ディスクＤＫにおける視覚上の色の変化を示す変色情報を取得し、当該変色情報と、可視画像に相当する画像情報と、に基づいて、描画を制御するＣＰＵ４を備える。
2008062524.tif 000002
【特許請求の範囲】
【請求項１】
記録媒体の外部から視認可能な可視画像の、当該記録媒体に対する光学的な描画を制御する描画制御装置において、
前記描画による前記記録媒体における視覚上の色の変化を示す変色情報を取得する取得手段と、
前記取得された変色情報と、前記可視画像に相当する画像情報と、に基づいて、前記描画を制御するための制御情報を生成し、当該描画に供させる制御情報生成手段と、
を備えることを特徴とする描画制御装置。
【請求項２】
請求項１に記載の描画制御装置において、
前記変色情報には、前記描画の前における前記記録媒体の色に相当する描画前色情報と、前記描画による前記色の変化の度合いが予め設定された進行度まで進行した状態に相当する描画後色情報と、が含まれていると共に、
前記描画前色情報により示される前記色と、前記描画後色情報により示される前記色と、の差を検出し、色差情報を生成する色差情報生成手段と、
前記生成された色差情報に基づき、当該色差情報により示される色差を有する前記記録媒体に対する前記描画が適切であるか否かを判断する判断手段と、
前記描画が適切でないと判断されたとき、当該不適切である旨を告知する告知手段と、
を備えることを特徴とする描画制御装置。
【請求項３】
請求項２に記載の描画制御装置において、
前記不適切である旨が告知された後において、なお前記描画を継続する旨が指令されたとき、前記可視画像における暗部に相当する前記記録媒体上の領域である暗部領域の面積と、当該可視画像における明部に相当する前記記録媒体上の領域である明部領域の面積と、を比較する比較手段を更に備え、
前記制御情報生成手段は、前記暗部領域又は前記明部領域のうち、前記面積が小さい方に前記描画用の光ビームが照射されるように当該光ビームの前記記録媒体上における照射位置を制御するように、前記制御情報を生成して前記描画に供させることを特徴とする描画制御装置。
【請求項４】
請求項１から３のいずれか一項に記載の描画制御装置において、
前記変色情報には、前記描画の進行に対応して、前記描画の前における前記記録媒体の色から、前記描画による前記色の変化の度合いが予め設定された進行度まで進行した状態に相当する当該色へ変色する過程において前記記録媒体上に現出する前記色を示す中間色情報が含まれていると共に、
前記制御情報生成手段は、前記取得された変色情報に含まれている前記中間色情報に基づき、前記描画用の光ビームにおける強度又は前記記録媒体上における同一位置に対する前記描画の回数の少なくともいずれか一方を制御するように前記制御情報を生成し、前記描画に供させることを特徴とする描画制御装置。
【請求項５】
請求項１から４のいずれか一項に記載の描画制御装置において、
前記可視画像における階調が、前記取得された変色情報により示される前記色の変化の範囲内の当該変化により表現できるか否かを、前記画像情報に基づいて判断する階調判断手段と、
前記階調が前記範囲内の前記変化により表現できないと判断されたとき、前記画像情報に基づいて、前記可視画像における最も暗い色が前記範囲の一端に属する前記色に相当し、且つ前記可視画像における最も明るい色が前記範囲の他端に属する前記色に相当するように前記画像情報を補正し、補正画像情報を生成する画像情報補正手段と、
を更に備え、
前記画像情報生成手段は、前記生成された補正画像情報に基づいて前記制御情報を生成して前記描画に供させることを特徴とする描画制御装置。
【請求項６】
請求項１から５のいずれか一項に記載の描画制御装置において、
前記生成された制御情報に基づいて描画されることとなる前記可視画像を、前記生成された制御情報を用いて前記描画を実行する前に表示する表示手段を更に備えることを特徴とする描画制御装置。
【請求項７】
請求項１から６のいずれか一項に記載の描画制御装置において、
前記記録媒体に対応する前記変色情報が当該記録媒体自体に予め記録されていると共に、
前記取得手段は、前記変色情報が記録されている前記記録媒体から当該変色情報を検出する検出手段であることを特徴とする描画制御装置。
【請求項８】
請求項７に記載の画像制御装置における前記検出手段により前記変色情報が検出可能に記録されている前記記録媒体であって、
当該記録媒体に対する前記描画前に前記変色情報が検出可能な当該記録媒体上の位置に、当該変色情報が記録されていることを特徴とする記録媒体。
【請求項９】
請求項１から６のいずれか一項に記載の描画制御装置において、
当該描画制御装置に対応する前記変色情報を予め記憶する変色情報記憶手段を更に備え、
前記取得手段は、前記変色情報記憶手段から当該変色情報を読み出す読出手段であることを特徴とする描画制御装置。
【請求項１０】
請求項１から７又は９のいずれか一項に記載の描画制御装置により生成された前記制御情報を取得する取得手段と、
前記取得された制御情報に基づいて、前記描画用の光ビームを出射する出射手段と、
を備えることを特徴とする描画装置。
【請求項１１】
コンピュータを、請求項１から７又は９のいずれか一項に記載の描画制御装置として機能させることを特徴とする描画制御用プログラム。
【発明の詳細な説明】
【技術分野】
【０００１】
本願は、描画制御装置、描画装置及び描画制御用プログラムの技術分野に属し、より詳細には、例えば、光ディスク等の記録媒体に対し、当該記録媒体の外部から視認可能な可視画像の光学的な描画を制御する描画制御装置及び当該描画制御用のプログラム並びに当該描画制御装置を含む描画装置の技術分野に属する。
【背景技術】
【０００２】
近年、例えばＣＤ−Ｒ（Compact Disc-Recordable）やＤＶＤ−Ｒ（Digital Versatile Disc-Recordable）等の光ディスクに対して、再生されるべき画像や音楽等の本来の記録情報とは別に、文字や図柄などの可視画像を外部から視認可能に描画することが可能な光ディスク記録装置（光ディスクドライブ装置）が提供されている。【０００３】
この種の光ディスク記録装置においては、当該光ディスクにレーザ光を照射し、外部から視認可能な変色層において光学的に色の変性を起こさせ、当該変性により浮かび上がる文字や図柄を用いて上記可視画像を描画する構成とされている（例えば、下記特許文献１参照）。
【特許文献１】特開２００２−２０３３２１号公報
【発明の開示】
【発明が解決しようとする課題】
【０００４】
一方、上記光ディスクに対する可視画像の描画においては、当該可視画像の描画に寄与する変色層の構成や組成等の違いにより、当該可視画像が描画されていない未描画部分の色合い並びに当該可視画像が描画された描画済部分の色合い共に、各光ディスク毎（より具体的には、当該光ディスクの製造メーカ毎、上記変色層の組成毎、当該光ディスクを構成している反射層の組成毎）に種々様々である。特に、上記記録情報が記録されるデータ記録面への可視画像描画では、当該描画に寄与する変色層の組成等は上記記録情報の記録特性の向上を優先して設計されるため、上記色合いの変化は可視画像記録に適さない場合さえある。【０００５】
このため、異なった変色層構成の光ディスクに対して同一の光ディスク記録装置を用いて同一の仕様（より具体的には、同一の光ビーム強度）により同一態様の可視画像描画処理を行ったとしても、その描画処理後に得られる可視画像の態様（イメージ）は、その可視画像を描画しようとした者の意図した態様とかけ離れることとなり、場合によっては描画された可視画像における明／暗が、その者の意図した明／暗に対して反転したものであるかのように描画されることさえあると言う問題点があった。【０００６】
そこで、本願は上記の問題点に鑑みて為されたもので、その課題の一例は、描画された可視画像から受ける視覚的イメージを、その描画の元となった元画像と比較して視覚的に最も描画者の期待と合致するような描画を行わせることが可能な描画制御装置、描画装置及び当該描画制御用プログラムを提供することにある。
【課題を解決するための手段】
【０００７】
上記の課題を解決するために、請求項１に記載の発明は、光ディスク等の記録媒体の外部から視認可能な可視画像の、当該記録媒体に対する光学的な描画を制御する描画制御装置において、前記描画による前記記録媒体における視覚上の色の変化を示す変色情報を取得するインターフェース等の取得手段と、前記取得された変色情報と、前記可視画像に相当する画像情報と、に基づいて、前記描画を制御するための制御情報を生成し、当該描画に供させるＣＰＵ等の制御情報生成手段と、を備える。【０００８】
上記の課題を解決するために、請求項９に記載の発明は、請求項１から８のいずれか一項に記載の描画制御装置により生成された前記制御情報を取得するピックアップ等の取得手段と、前記取得された制御情報に基づいて、前記描画用の光ビームを出射するピックアップ等の出射手段と、を備える。【０００９】
上記の課題を解決するために、請求項１０に記載の発明は、コンピュータを、請求項１から８のいずれか一項に記載の描画制御装置として機能させる。
【図面の簡単な説明】
【００１０】
【図１】実施形態に係る描画システムの概要構成を示すブロック図である。
【図２】実施形態に係る変色情報の具体例を例示する図であり、（ａ）は変色情報の第一例を示す図であり、（ｂ）は変色情報の第二例を示す図である。
【図３】実施形態に係る描画処理を示すフローチャートである。
【符号の説明】
【００１１】
１    制御装置
４、１３    ＣＰＵ
５    ディスプレイ
１０    描画装置
１１    ピックアップ
１６    エンコーダ
１２    記録パルス生成部
１００、２００    変色情報
１０１    描画前色情報
１１０    描画後色情報
２０１    中間第１色情報
２０２    中間第２色情報
２０３    中間第３色情報
Ｓ    描画システム
ＤＫ    光ディスク
【発明を実施するための最良の形態】
【００１２】
次に、本願を実施するための最良の形態について、図面に基づいて説明する。なお、以下に説明する実施形態は、上記変色層を備えて可視画像が描画可能に形成されている光ディスクに対して光学的に当該可視画像を描画する画像描画システムに対して本願を適用した場合の実施の形態である。
（I）本願の原理
先ず、具体的な実施形態について説明する前に、本願の原理について説明する。【００１３】
上記特許文献１に開示されている技術のように、一般に、上記光ディスク上への可視画像の描画処理では、当該光ディスク内に形成されている変色層に光ビーム等を断続的に照射することで当該変色層内に外部から視認可能な変色部を形成する。そして、当該光ビーム等が照射されていない状態の変色層の色から、当該光ビーム等が照射されることで変色が十分に進行し終えた状態の変色層の色までの色変化の度合いにより、人が可視画像として認識できる描画結果を光ディスク上に得る構成とされている。【００１４】
このとき、上述したように、上記変色前の変色層の色と変色後の変色層の色はは、使用される変色層の構成や組成により様々であり、例えば、当該変色前と当該変色後でいわゆる色相が変化する変色層もあれば、当該変色前と当該変色後でいわゆる明度のみが変化する変色層もある。更には、当該変色前後の色自体も様々な色がある。【００１５】
ここで、当該可視画像を描画する場合、通常は、描画しようとする可視画像を白黒画像（モノトーン画像）として編集する場合が多いが、この場合には、１００％の「白」が当該変色前の色に割り当てられ、一方１００％の「黒」が当該変色が十分に進行した状態の色に割り当てられ、可視画像としての細部はその色の間の階調表現として描画される。このため、編集時には描画する者をして十分見易かった可視画像としてのデザインが、実際に描画した結果を見たときにはそれが判りづらい絵柄となってしまっていた、ということが起こり得る。【００１６】
そこで、本願では、上記光ビーム等が変色層に照射された結果としての当該変色層の外観上の色変化を示す変色情報を当該光ディスクに予め記録させておく。そして、当該変色情報を可視画像の描画前に光ディスクから読み出して用いることで、当該描画をする者が期待する可視画像の仕上がりと、実際に描画された可視画像と、の間の相違を最小限とすると共に、よりその者の視覚上違和感のない描画を可能とするのである。
（II）実施形態
次に、本願に係る実施形態について、具体的に図１乃至図３を用いて説明する。なお、図１は実施形態に係る描画システムの概要構成を示すブロック図であり、図２は実施形態に係る変色情報の内容を例示する図であり、図３は実施形態に係る可視画像の描画処理を示すフローチャートである。【００１７】
図１に示すように、実施形態に係る描画システムＳは、上記変色層を備え且つ上記変色情報が予め例えばリードインエリア等内に記録されている光ディスクＤＫに対して実施形態に係る描画処理を実際に行う描画装置１０と、当該描画装置１０における描画動作を制御する制御装置１と、により構成されている。ここで、当該描画システムＳは、実際には例えば全体としてパーソナルコンピュータとして構成されるものであり、描画装置１０は、当該パーソナルコンピュータにおける光ディスクドライブ装置として構成されるものである。【００１８】
この構成において、制御装置１は、メモリ２と、ハードディスクドライブ３と、制御情報生成手段、比較手段、階調判断手段及び画像情報補正手段としてのＣＰＵ４と、液晶ディスプレイ等からなる表示手段としてのディスプレイ５と、キーボード及びマウス等からなる入力部６と、取得手段としてのインターフェース７と、により構成されている。【００１９】
他方、描画装置１０は、光ディスクＤＫ内の図示しない変色層に対して上記描画用の光ビームＢを照射する出射手段及び取得手段としてのピックアップ１１と、記録パルス生成部１２と、ＣＰＵ１３と、サーボ制御部１４と、光ディスクＤＫを予め設定された回転数で回転させるスピンドルモータ１５と、エンコーダ１６と、インターフェース１７と、により構成されている。【００２０】
次に、各装置の概要動作を説明する。【００２１】
先ず、制御装置１の概要動作を説明する。【００２２】
制御装置１内のＣＰＵ４は、ハードディスクドライブ３に内蔵されている図示しないハードディスクから、光ディスクＤＫ上に描画すべき可視画像の元となる元画像に相当する元画像情報Ｓhddを読み出す。【００２３】
そして、入力部６における描画をする者の操作に基づいて当該入力部６から出力されてくる操作信号Ｓopに基づき、後述する実施形態に係る可視画像の描画処理を実行し、当該描画されるべき可視画像に相当する可視画像情報Ｓoutを生成してインターフェース７に出力する。【００２４】
このとき、当該描画処理の実行に当たって必要な情報は、メモリ信号Ｓmとしてメモリ２に一時的に記憶され、更に必要に応じて再度メモリ信号Ｓmとして読み出されて当該描画処理に供される。【００２５】
また、当該描画処理実行中における可視画像の確認処理等は、ＣＰＵ４からの表示信号Ｓdpにより駆動されるディスプレイ５を用いて当該描画処理を行う者により実行される。【００２６】
一方、上記可視画像情報Ｓoutが入力されたインターフェース７は、当該可視画像情報Ｓoutに対して予め設定されている出力インターフェース処理を施し、インターフェース信号Ｓifとして描画装置１０のインターフェース１７に出力される。【００２７】
なお、光ディスクＤＫに記録されている上記変色情報は、描画装置１０により事前に光ディスクＤＫから読み出され、インターフェース１７及び７を介してＣＰＵ４に取り込まれた後、後述する描画処理に供される。【００２８】
次に、描画装置１０の概要動作を説明する。【００２９】
上記インターフェース信号Ｓifが入力されたインターフェース１７は、当該インターフェース信号Ｓifに対して予め設定されている入力インターフェース処理を施し、上記可視画像情報Ｓoutに相当する入力情報Ｓinを生成してエンコーダ１６に出力する。【００３０】
これにより、エンコーダ１６は、ＣＰＵ１３からの制御信号Ｓceに基づいて入力情報Ｓinを符号化し、符号化描画情報Ｓrとして記録パルス生成部１２及びＣＰＵ１３に出力する。【００３１】
そして、記録パルス生成部１２は、ＣＰＵ１３からの制御信号Ｓcpに基づいて、上記符号化描画情報Ｓrを光ビームＢの強度制御用の記録パルス信号Ｓpを生成し、ピックアップ１１内の図示しない半導体レーザに出力する。このとき、記録パルス生成部１２は、入力情報Ｓinとして入力されている可視画像が光ディスクＤＫにおける変色層の変色として描画されるべく、光ビームＢの照射位置に応じてその強度が変化するように記録パルス信号Ｓpを生成することとなる。【００３２】
これにより、ピックアップ１１は、記録パルス信号Ｓpにより示される強度及びタイミングで描画用の光ビームＢを光ディスクＤＫに照射し、実施形態に係る可視画像の描画を行う。【００３３】
一方、当該光ビームＢの照射位置は、ＣＰＵ１３からの制御信号Ｓcsにより制御されるサーボ制御部１４からのピックアップサーボ信号Ｓpsに基づくピックアップ１１内の図示しない対物レンズ（すなわち、光ビームＢ集光用の対物レンズ）の光ディスクＤＫの変色層に平行な方向の移動、並びに当該サーボ制御部１４からのスピンドルサーボ信号Ｓmsに基づくスピンドルモータ１５の回転態様の変化により決定される。【００３４】
そして、ＣＰＵ１３は、エンコーダ１６から出力されて来る上記符号化描画情報Ｓrに基づき、光ビームＢの照射位置及び強度を制御して実際の可視画像を描画させるべく、上記制御信号Ｓce、Ｓcp及びＳcsを夫々生成し、上記エンコーダ１６、記録パルス生成部１２及びサーボ制御部１４に夫々出力する。【００３５】
次に、実施形態に係る上記変色情報について、具体的に図２を用いて例示しつつ説明する。【００３６】
図２（ａ）及び（ｂ）に夫々示すように、実施形態に係る変色情報としては二通りの変色情報１００及び２００がある。このとき、当該変色情報１００又は２００は、その光ディスクＤＫ内に形成されている変色層の特性に応じていずれかが予め記録されている。【００３７】
そして、先ず変色情報１００は、図２（ａ）に示すように、光ビームＢが照射される前の光ディスクＤＫの外観上の色を示す描画前色情報１０１と、光ビームＢが必要量だけ照射された結果、変色層の変色が（例えば経験的に）予め設定された進行度まで十分に進行した後の当該光ディスクＤＫの外観上の色を示す描画後色情報１１０と、のみを含んでいる。【００３８】
これに対し、変色情報２００は、図２（ｂ）に示すように、上記変色情報１００と同様の描画前色情報１０１及び描画後色情報１１０に加えて、描画前情報１０１により示される描画前の色から描画後情報１１０により示される色に至るまで変化の中間状態における光ディスクＤＫの外観上の色を段階的に示す中間第１色情報２０１、中間第２色情報２０２、中間第３色情報２０３、…を含んでいる。【００３９】
ここで、説明の簡略化のため、光ディスクＤＫ上に表現される階調が光ビームＢによる重ね書きの回数のみで決定されるものとすると、上記変色情報１００又は２００は、いわゆるＣＩＥ Ｌ*ａ*ｂ*（Commission Internationale de l’Eclairage Luminescence alpha beta）色空間内の座標位置データとして光ディスクＤＫ内に記録することができる。【００４０】
なお、これに加えて、十分な変色を得るためには重ね書きの回数を増やすことを前提とするような光ディスクＤＫの場合、いわゆる標準記録機で何回の重ね書きをすると十分な変色を得られるかという回数情報をも併せて記録しておくことで、実際の描画装置１０を用いたときに何回の重ね書きで十分な変色が得られるか、を推定することができることになる。【００４１】
また、変色情報２００の場合、中間色情報としては、変色層が十分変色したときの重ね書き回数が例えば８回であったとすると、２回の重ね書きを行った時点、４回の重ね書きを行った時点、及び６回の重ね書きを行った時点夫々での色情報を、当該中間色情報として記録するようにすればよい。【００４２】
ここで、多くの光ディスクＤＫの場合、重ね書き回数の変化に対すると色座標の変化は線形ではないので、変色情報２００の如く色変化の途中経路を記録しておくことができれば、より忠実な可視画像の仕上がりを得ることができることになる。【００４３】
次に、図２に例示する変色情報１００又は２００が予め記録されている光ディスクＤＫに対して描画装置１０及び制御装置１を用いて実行される、実施形態に係る描画処理について、具体的に図３を用いて説明する。【００４４】
図３に示すように、実施形態に係る描画処理においては、先ず制御装置１側において、光ディスクＤＫ上に描画する画像を元画像として編集する（ステップＳ１）。このとき、描画対象の光ディスクＤＫが既に描画装置１０内に装填されている場合には、それに記録されている上記変色情報１００又は２００を予め読み取った上で、当該編集中の元画像に反映させることも可能である。【００４５】
ここで、当該編集処理の態様としては種々のものが考えられるが、例えば元画像としての色差を敢えて白黒モノトーンの階調表現のみで表すように編集することもできる。このとき、敢えて白黒モノトーンに編集するのは、多くの場合、編集時に使用されるディスプレイ５は当該元画像としての正しい色を表現するようには調整されていないため、カラー表示により元画像を編集しようとすると、元画像の印象としてかえって間違った印象を与えてしまう可能性があるからである。【００４６】
次に、元画像としての編集が完了すると、描画装置１０により、光ディスクＤＫからそれに記録されている上記変色情報１００又は２００を読み出す（ステップＳ２）。【００４７】
次に、当該読み出した変色情報１００又は２００に基づき、視覚的に見て明るいと感じ易い色となる描画状態（すなわち、未描画状態又は描画済状態のいずれか一方）を決定する（ステップＳ３及びＳ４）。【００４８】
ここで、当該ステップＳ３の処理として具体体には、例えば、変色情報１００又は２００が上記ＣＩＥ Ｌ*ａ*ｂ*色空間内の座標位置データとして記述されている場合、先ず、二色（すなわち、未描画状態の光ディスクＤＫの色と描画済状態の光ディスクＤＫの色の二色）のＬ座標方向のみの差を計算し、その結果として有意な差が認められる場合は、よりＬ座標が「＋」のものを明るい方の色と判定する。【００４９】
一方、ステップＳ３の処理において、当該明度に有意な差が認められない場合は、次に当該二色について彩度の比較を行い、その結果に有意な差が認められれば、より彩度の高いものを明るい方の色と判定する。【００５０】
更に、明度、彩度共に十分な有意差が認められない場合は、
ａ軸の値：ｂ軸の値＝１：１
の方向に対する色相の差を±１８０°の範囲で表し、その絶対値に有意な差が認められれば、絶対値の小さいものを明るい方の色と判定する。【００５１】
最後に、上記
ａ軸の値：ｂ軸の値＝１：１
の方向に対する色相の差に十分な有意差が認められない場合は、ｂ軸に対して同様に色相差の絶対値を算出し、その絶対値に有意差が認められれば、その小さいものをより明るい方の色と判定する。【００５２】
なお、上記ステップＳ３及びＳ４の処理においては、光ディスクＤＫに元々記録されている変色情報１００又は２００を用いてより明るい方の色を決定したが、これに限らず、例えば、予め明るい方の色が未描画部分と描画済部分のいずれであるかを示す情報を、予め光ディスクＤＫに記録しておくように構成することもできる。【００５３】
そして、上記ステップＳ３及びＳ４の処理により、色差が十分にあると判断されたときは（ステップＳ４；ＹＥＳ）、次に、当該色差における明るい方の色に相当するのが光ビームＢが照射されない未描画部分であるか否かを確認する（ステップＳ５）。これにより、当該明るい方の色に相当するのが未描画部分であるときは（ステップＳ５；ＹＥＳ）、元画像における暗部を光ビームＢを照射して描画すべき部分であると決定し（ステップＳ６）、後述するステップＳ８の処理に移行する。一方、ステップＳ５の判定において、当該明るい方の色に相当するのが描画部分であるときは（ステップＳ５；ＮＯ）、元画像における明部を光ビームＢを照射して描画すべき部分であると決定し（ステップＳ７）、後述するステップＳ８の処理に移行する。【００５４】
以上のステップＳ５乃至Ｓ７の処理により、ステップＳ３及びＳ４の処理により判定されたより明るい方の色が、元画像の白色部となるように描画すべき光ディスクＤＫ上の領域（換言すれば、当該元画像内の領域）が決定される。【００５５】
描画すべき領域が決定されたら、次に、光ディスクＤＫに記録されていたのが上記変色情報２００であるか否かを確認する（ステップＳ８）。そして、光ディスクＤＫに記録されていたのが変色情報２００ではなく変色情報１００であった場合には（ステップＳ８；ＮＯ）、変色情報１００に含まれている描画前情報１０１により示される色と描画後情報１１０により示される色との色差を算出し、その結果を描画済み状態となるまでに必要な重ね書き回数で等分することで重ね書き一回当たりの色差を予測し（ステップＳ１０）、後述するステップＳ１１の処理に移行する。【００５６】
このとき、当該描画済み状態となるまでに必要な重ね書き回数は、例えば光ディスクＤＫ内に変色情報１００と共に記録しておいてもよいし、或いは、予め所定回数だけ重ね書いた結果を描画済みの色情報値と定義することで特定することも可能である。【００５７】
一方、ステップＳ８の判定において、光ディスクＤＫに記録されていたのが変色情報２００であった場合には（ステップＳ８；ＹＥＳ）、上記重ね書き一回あたりの変化量に対して図２（ｂ）に例示した中間色情報を用いて補正を加えて一回の重ね書き毎の色の状態を設定し（ステップＳ９）、後述するステップＳ１１の処理に移行する。【００５８】
ここで、当該ステップＳ９の処理として具体的には、説明の簡略化のため明度のみが変化し、且つ、未描画時において明度が１０％であり（図２（ｂ）符号１０１参照）、重ね書きが八回実行された段階で描画済みとなって明度が９０％となる（図２（ｂ）符号１１０参照）とすると、これに加えて重ね書きが四回で明度が７０％になるという中間色情報が変色情報２００の一部として取得できれば、四回までの重ね書きでは一回あたり明度が１５変化し、更にその後の重ね書きでは一回あたり明度が５％変化すると決定することができる。なおこのとき、実際には四回目の重ね書きと５回目の重ね書きとで色の変化度合いが大幅に変わることはないので、その間をより細かい中間色情報を用いて補間することが望ましい。【００５９】
以上のステップＳ１乃至Ｓ１０の処理により、光ビームＢを用いた重ね書きによって表現できる階調が定義付けられたこととなる。【００６０】
次に、当該定義づけられた階調について、光ビームＢの照射による光ディスクＤＫの変色によって上記定義づけられた階調が全て表現可能であるか否かを確認する（ステップＳ１１）。すなわち、当該光ディスクＤＫの変色により表現できる色の範囲が上記元画像に含まれる色の範囲以上であり、結果として当該元画像における上記定義づけられた階調に含まれる中間階調が光ディスクＤＫの変色過程において現出する階調を用いて十分表現できる場合は（ステップＳ１１；ＹＥＳ）、当該元画像に相当する元画像情報Ｓhddをそのまま変色情報１００又は２００で示される階調（すなわち、光ディスクＤＫの変色で表現可能な階調）で再量子化し（ステップＳ１２）、後述するステップＳ１３の処理に移行する。【００６１】
一方、ステップＳ１１の判定において、光ディスクＤＫの変色によって上記定義づけられた階調が全て表現できないばあい、すなわち、当該光ディスクＤＫの変色により表現できる色の範囲が上記元画像に含まれる色の範域より小さく、結果として当該元画像における上記定義づけられた階調に含まれる中間階調が光ディスクＤＫの変色過程において現出する階調を用いて表現できない場合は（ステップＳ１１；ＮＯ）、例えば元画像がモノクロ画像であるならば、元画像の最暗部と最明部が夫々記録による色変化の両端になるように元画像情報Ｓhddを補正した上で（ステップＳ１５）、当該補正後の元画像情報Ｓhddを光ディスクＤＫの変色により表現できる階調で再量子化し（ステップＳ１６）、後述するステップＳ１３の処理に移行する。他方、ステップＳ１５の補正処理において、元画像がカラー画像の場合は、一旦白黒画像に変換した上で上述したモノクロ画像に対する処理と同様の補正処理を施せばよい。【００６２】
なお、ステップＳ１２又はＳ１６の処理について、光ディスクＤＫが複数の変色層により色情報が再現できる構成の光ディスクである場合には、元画像の色の範囲のうち夫々の変色層が対応する成分を抜き出し、各変色層の変色により表現できる階調で再量子化することも可能である。【００６３】
そして、上記ステップＳ１２又はＳ１６の処理により再量子化が完了したときは、次に、当該再量子化した結果としての画像を、例えば重ね書き一回毎にディスプレイ５に表示し（ステップＳ１３）、描画する者にその状態を確認させる。【００６４】
このステップＳ１３の処理を行うのは、例えば、未描画状態と描画済み状態との間の色差が大きく、重ね書き回数が少ない場合等においては、重ね書き一回当たりの色差が大きくなることとなるが、この色差が、描画を行う者が視覚的に感知し得る範囲以上の色差である場合、出来上がった可視画像にはいわゆる擬似輪郭が現れることが予想される。また、言うまでもなく重ね書きの回数は自然数であるので、元画像の階調数を全て表現できない可能性が本来的に内在している。そこで、上記ステップＳ１３の処理により再量子化後の画像をディスプレイ５に表示させ、描画を行う者にその内容を確認させるのである。【００６５】
このとき、上記擬似輪郭が現出する可能性のある画像内の位置は予め予測可能であることが多いので、元画像の編集の際に実施形態に係る重ね書き回数とは別の変調を当該元画像に加えることで、上記擬似輪郭のエッジ自体をぼかすように処理することも可能である。【００６６】
そして、再量子化の表示を行った時に描画をする者によりその画像で実際に描画を行う旨の指示があったか否かを確認し（ステップＳ１４）、当該指示が為されたときは（ステップＳ１４；ＹＥＳ）、その再量子化された画像に相当する可視画像情報Ｓoutを制御装置１から描画装置１０に出力して実際の描画処理を実行させ（ステップＳ１７）、実施形態に係る描画処理を終了する。一方、ステップＳ１４の判定において、当該指示が為されないときは（ステップＳ１４；ＮＯ）、現状の制御装置１の処理可能範囲では所望される描画が実行できないとして、そのまま実施形態に係る描画処理を終了する。【００６７】
他方、上記ステップＳ４の判定において、ステップＳ３及びＳ４の処理をもってしても色差が十分にない（すなわち、明るい方の色が決定できない）ときは（ステップＳ４；ＮＯ）、現在描画装置１０に装填されている光ディスクＤＫに対して所望の可視画像を描画することは不可能であるので、その旨を描画を行う者に告知する（ステップＳ１８）。【００６８】
そして、当該告知により、その者が描画を中止する場合には（ステップＳ１９；ＮＯ）、そのまま実施形態に係る描画処理を終了する。一方、当該告知があってもなお、描画を継続する旨が指示された場合（ステップＳ１９；ＹＥＳ）、光ビームＢを照射して描画する領域としてては、元画像における明部であっても暗部であっても仕上がりの可視画像としての画質には大差がないこととなるので、記録に必要な光ビームＢの強度等エネルギー消費を最小限に抑制すべく、元画像における暗部の面積と明部の面積とを比較し（ステップＳ２０）、当該面積がより小さい方の描画領域として決定し上記ステップＳ６（明部の方が面積が小さいとき（ステップＳ２０；ＹＥＳ））又はＳ７（暗部の方が面積が小さいとき（ステップＳ２０；ＮＯ））に移行する。【００６９】
以上夫々説明したように、実施形態に係る制御装置１及び描画装置１０による描画処理によれば、光ディスクＤＫにおける描画による視覚上の色の変化を示す変色情報１００又は２００を取得し、当該取得した変色情報１００等と可視画像に相当する可視画像情報Ｓhddとに基づいて当該描画を制御するので、当該光ディスクＤＫにおける当該描画による色の変化等、当該光ディスクＤＫの属性等に合わせて、描画後の可視画像が視覚的に最も期待と合致するような描画を行わせることができる。【００７０】
また、描画前後における色差との関係で可視画像を描画することが不適切であるとき（図３ステップＳ１８参照）、その旨が告知されるので、当該描画を行おうとする者は、当該描画をそのまま継続させるか否かを自ら判断することができる。【００７１】
更に、光ディスクＤＫが描画に不適切であると判断された場合においてなお描画を継続する旨が指令されたとき（図３ステップＳ１９；ＹＥＳ参照）、描画対象の可視画像における暗部と明部のうち面積が小さい方に相当する光ディスクＤＫ上の領域に光ビームＢを照射して可視画像を描画するように制御するので（図３ステップＳ２０参照）、可視画像の描画に要する時間の節約又は光ビームＢの照射に当たって省電力化を図ることができる。【００７２】
更にまた、変色情報２００に含まれている中間色情報２０１等に基づき、描画用の光ビームＢにおける強度又は同一位置に対する描画回数の少なくともいずれか一方を制御するので、可視画像における中間色を適切に表現して違和感の少ない当該可視画像を描画することができる。【００７３】
また、描画されるべき可視画像における階調が、変色情報１００等により示される色の変化の範囲内の当該変化により表現できないと判断されたとき（図３ステップＳ１１；ＮＯ参照）、可視画像に相当する可視画像情報Ｓhddを補正し、当該補正された可視画像情報に基づいて描画を実行するので（図３ステップＳ１５、Ｓ１６参照）、可視画像の階調が光ディスクＤＫにおける色の変化の範囲を超えた色に相当する場合でも、当該可視画像を描画することができる。【００７４】
更に、可視画像の描画前にディスプレイ５に表示するので（図３ステップＳ１３参照）、実際に光ディスクＤＫ上に描画されることとなる可視画像の内容を確認してから当該実際の描画を実行させることができる。【００７５】
更にまた、各光ディスクＤＫに対応する変色情報１００等が当該光ディスクＤＫ自体に記録されていると共に、これを光ディスクＤＫから検出して用いるので、各光ディスクＤＫに最適化されて予め記録されている変色情報１００等を用いて鮮明な可視画像の描画を実行させることができる。
（III）変形形態
次に、本願に係る種々の変形形態について説明する。【００７６】
先ず、第一の変形形態として、上述してきた実施形態におけるステップＳ３及びＳ４の処理は、いわゆる自然光下で、通常の色彩表現を用いて可視画像を描画する際におけるより明るい方の色の判定したが、これ以外に、例えば特定の波長の参照光を照射したときにのみ可視画像が浮かび上がる用途向け等、通常の色彩表現と合致しない場合には、未描画状態と描画済み状態を、夫々明度１００％及び明度０％として定義付けて光ディスクＤＫ上に記録しておくことで、当該特定の参照校により浮かび上がる可視画像の描画処理に対しても実施形態の描画処理をそのまま適用することができる。【００７７】
次に、第二の変形形態として、元画像の編集中は未だ描画対象の光ディスクＤＫが描画装置１０に装填されていないことにより当該光ディスクＤＫにおける変色特性が特定できない場合には、一旦白１００％から黒１００％の階調により元画像を編集し、当該光ディスクＤＫが描画装置１０に装填された後に、元画像と予想描画結果とを対比させて表示するように構成することもでいる。【００７８】
更に、第三の変形形態として、階調度が十分小さい範囲内にどの程度の割合で変色領域があるかを変化させて描画したり、或いは、一回の光ビームＢの照射をより弱い強度で行うように構成しても、より所望したものに近い可視画像を得ることができる。このとき、前者の場合は、変色前後の色の度合いを変える事で概ね変色領域の割合が計算可能である。また後者の場合は、描画装置１０により試し書きを行って強度を判断するように構成して実現させることも、或いはより詳細な色変化に対する情報を予め光ディスクＤＫに記録して実現させることも、共に可能である。【００７９】
なお、当該後者の場合において、描画装置１０により試し書きを行って可視画像の濃度を調整する場合、試し書きしたものを評価するための光源は描画に用いられた光ビームＢと同じである場合が通常であり、これは単一波長であるため人間の目で見た明暗とは必ずしも一致しない。そこで、ある波長によって検出される明暗変化と実際の色変化との関係を表すような数値を予め光ディスクＤＫに格納しておくことで有効な試し書き結果を得ることが可能となる。【００８０】
更にまた、第四の変形形態として、上述した実施形態において、変色情報１００等を光ディスクＤＫに記録する構成としたが、これらを含めた各種の光ディスクに対応する変色情報を、描画装置１０内のＣＰＵ１３、制御装置内のＣＰＵ４又は描画装置１０制御用の書込みアプリケーションプログラム内に記述し、これらを用いて実施形態に係る描画処理を実行するように構成することもできる。【００８１】
この場合には、描画装置１０等に対応する変色情報が予め記憶されているで、描画装置１０等に最適化されて予め記憶されている変色情報を用いて鮮明な可視画像の描画を実行させることができる。【００８２】
最後に、第五の変形形態として、上述した実施形態では、一種類の光ビームＢのみを用いて可視画像の描画を行ったが、これ以外に、複数の波長の光ビームを用いて描画することにより複数色の描画済み状態を得られるような光ディスクについて、夫々の描画済み状態に対して実施形態の場合と同様の描画処理を適用することが可能である。このときには、上記実施形態に係る描画処理において、より明るい方の色を決定した段階（ステップＳ３及びＳ４）で、複数の描画済み状態同士でもより明るい方の色に相当する描画状態の決定を行えばよい。【００８３】
なお、複数の波長の光ビームを用いて描画することにより複数色の描画済み状態が得られる光ディスクでは、変色層に照射された光ビームの波長によって変色状態が異なるものの他に、変色層が層状に形成されており、ある波長の光ビームで表面側の変色層の変色を起こした上で、別の波長の光ビームでその奥（光ビームの照射側と反対側）の変色層を変色させる構成が考えられるが、この場合、上記描画処理で決めた第一層の描画領域に、第二層以下の変色層に対する描画領域も追加することとなる。【００８４】
また、図３に示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態又は変形形態に係るのＣＰＵ４及び１３として活用することも可能である。
【図１】
2008062524.tif 000003
【図２】
2008062524.tif 000004
【図３】
2008062524.tif 000005
【国際調査報告】
2008062524.tif 000006
2008062524.tif 000007
2008062524.tif 000008